(57)【要約】【課題】体毛処理ヘッドを取外した際に不用意に処理剤が吐出されないようにして処理剤の無駄な消費を抑制する。【解決手段】体毛処理装置本体１と、体毛の切断又は脱毛を行う体毛処理ヘッド６と、体毛処理用の処理剤を充填させる剤容器３と、体毛処理ヘッド６に備えた処理剤供給部６１と剤容器３とを連結する供給流路部８と、剤容器３から処理剤供給部６１にまで供給流路部８を介して処理剤を送り出す加圧手段とを具備して成る体毛処理装置において、体毛処理装置本体１と体毛処理ヘッド６とを着脱自在とし、供給流路部８を本体側流路部１１１とヘッド側流路部６１１に分割するとともに、体毛処理ヘッド６の取外しと連動して本体側流路部１１１内での処理剤供給を停止させる処理剤供給停止手段を備える。【選択図】　　　　図１
2004113397.tif 000002
【特許請求の範囲】
【請求項１】
体毛処理装置本体と、体毛の切断又は脱毛を行う体毛処理ヘッドと、体毛処理用の処理剤を充填させる剤容器と、体毛処理ヘッドに備えた処理剤供給部と剤容器とを連結する供給流路部と、剤容器から処理剤供給部にまで供給流路部を介して処理剤を送り出す加圧手段とを具備して成る体毛処理装置において、体毛処理装置本体と体毛処理ヘッドとを着脱自在とし、体毛処理ヘッドの体毛処理装置本体への取付け状態では接続されて取外し状態では分離されるように供給流路部を本体側流路部とヘッド側流路部に分割するとともに、体毛処理ヘッドの取外しと連動して本体側流路部内での処理剤供給を停止させる処理剤供給停止手段を備えていることを特徴とする体毛処理装置。
【請求項２】
処理剤供給停止手段が、本体側流路部を閉止する流路部閉止機構であることを特徴とする請求項１記載の体毛処理装置。
【請求項３】
流路部閉止機構として、体毛処理ヘッドの取外しと連動して本体側流路部内の供給方向の流れを閉止する逆止弁を設けたことを特徴とする請求項２記載の体毛処理装置。
【請求項４】
流路部閉止機構として、体毛処理ヘッドの取外しと連動して本体側流路部を閉止するロックバルブを設けたことを特徴とする請求項２記載の体毛処理装置。
【請求項５】
加圧手段として処理剤供給用ポンプを備え、該処理剤供給用ポンプの駆動を停止させる停止スイッチを処理剤供給停止手段としたことを特徴とする請求項１記載の体毛処理装置。
【請求項６】
体毛処理ヘッドは、体毛切断用の外刃、又は、外刃と内刃を備えたものであることを特徴とする請求項１〜５のいずれか記載の体毛処理装置。
【請求項７】
体毛処理ヘッドは、脱毛を行う脱毛ブロックを囲むカバー部であることを特徴とする請求項１〜６のいずれか記載の体毛処理装置。
【請求項８】
本体側流路部とヘッド側流路部とを、体毛処理ヘッドの外部で接続させることを特徴とする請求項１〜７のいずれか記載の体毛処理装置。
【請求項９】
本体側流路部とヘッド側流路部の接続構造を、本体側流路部の接続側端部をヘッド側流路部の接続側端部の流路内に挿入した構造としたことを特徴とする請求項１〜８のいずれか記載の体毛処理装置。
【請求項１０】
処理剤を送り出す加圧手段として、圧電材料と弾性板とから成り該圧電材料により屈曲運動を行う圧電ダイアフラムポンプを備えたことを特徴とする請求項１〜９のいずれか記載の体毛処理装置。
【請求項１１】
処理剤を送り出す加圧手段として処理剤供給用ポンプを備えるとともに、前記処理剤供給用ポンプの駆動周波数変更により処理剤の吐出量を調節する吐出量調節手段を備えたことを特徴とする請求項１〜１０のいずれか記載の体毛処理装置。
【請求項１２】
本体側流路部を、剤容器との接続端が外方に突出するように屈曲自在に設けたことを特徴とする請求項１〜１１のいずれか記載の体毛処理装置。
【請求項１３】
処理剤供給部に処理剤の流路を封止させる栓体を設け、処理剤供給部の肌への押し付けと連動した前記栓体の移動方向を流路の封止解除方向としたことを特徴とする請求項１〜１２のいずれか記載の体毛処理装置。
【発明の詳細な説明】
【０００１】
【発明の属する技術分野】
本発明は、体毛処理用の処理剤を吐出しながら体毛の切断又は脱毛を行う体毛処理装置に関する。
【０００２】
【従来の技術】
従来からこの種の体毛処理装置としては、体毛処理装置本体に処理剤を保持する剤容器を具備し、ポンプ等の作用で剤容器内から処理剤を強制的に吐出させて使用者の肌との間の摩擦を低減させるものがある（特許文献１や特許文献２を参照）。しかしながら、上記した従来の体毛処理装置においては、体毛処理装置本体に着脱自在に装着された体毛処理ヘッドを取外して掃除等を行う際にもポンプ等が作用すると処理剤が吐出してしまい、処理剤を無駄に消費してしまうという問題点があった。
【０００３】
【特許文献１】
特表２０００−５０００５５号
【特許文献２】
実開昭５９−１０８５７４号公報
【０００４】
【発明が解決しようとする課題】
本発明は上記の点に鑑みてなされたものであり、毛屑の掃除等の為に体毛処理装置本体から体毛処理ヘッドを取外した際に不用意に処理剤が吐出されないようにして処理剤の無駄な消費を抑制することができる体毛処理装置を提供することを課題とするものである。
【０００５】
【課題を解決するための手段】
上記課題を解決するために本発明を、体毛処理装置本体と、体毛の切断又は脱毛を行う体毛処理ヘッドと、体毛処理用の処理剤を充填させる剤容器と、体毛処理ヘッドに備えた処理剤供給部と剤容器とを連結する供給流路部と、剤容器から処理剤供給部にまで供給流路部を介して処理剤を送り出す加圧手段とを具備して成る体毛処理装置において、体毛処理装置本体と体毛処理ヘッドとを着脱自在とし、体毛処理ヘッドの体毛処理装置本体への取付け状態では接続されて取外し状態では分離されるように供給流路部を本体側流路部とヘッド側流路部に分割するとともに、体毛処理ヘッドの取外しと連動して本体側流路部内での処理剤供給を停止させる処理剤供給停止手段を備えていることを特徴としたものとする。
【０００６】
このようにすることで、毛屑の掃除のため体毛処理装置本体から体毛処理ヘッドを取外した状態で不用意に加圧手段が作用しても処理剤が流出することが防止され、処理剤の無駄な消費を抑制することができる。
【０００７】
また、処理剤供給停止手段が、本体側流路部を閉止する流路部閉止機構であることも好ましく、このようにすることで、処理剤が揮発性の高いものや粘性の低いものであっても流路の閉止により確実に流出を防止することができる。
【０００８】
また、流路部閉止機構として、体毛処理ヘッドの取外しと連動して本体側流路部内の供給方向の流れを閉止する逆止弁を設けることも好ましく、このようにすることで、簡単な構造で安価に流路部閉止機構を形成することができる。
【０００９】
また、流路部閉止機構として、体毛処理ヘッドの取外しと連動して本体側流路部を閉止するロックバルブを設けることも好ましく、このようにすることで、簡単な構造で安価に流路部閉止機構を形成することができる。
【００１０】
また、加圧手段として処理剤供給用ポンプを備え、該処理剤供給用ポンプの駆動を停止させる停止スイッチを処理剤供給停止手段とすることも好ましく、このようにすることで、加圧手段そのものを停止させて処理剤の流出を確実に防止することができる。
【００１１】
また、体毛処理ヘッドは、体毛切断用の外刃、又は、外刃と内刃を備えたものであることも好ましく、このようにすることで、電気シェーバにおいて簡単な構造で安価に処理剤供給停止手段を備えたものを提供することができる。
【００１２】
また、体毛処理ヘッドは、脱毛を行う脱毛ブロックを囲むカバー部であることも好ましく、このようにすることで、脱毛器において簡単な構造で安価に処理剤供給停止手段を備えたものを提供することができる。
【００１３】
また、本体側流路部とヘッド側流路部とを、体毛処理ヘッドの外部で接続させることも好ましく、このようにすることで、流路内に毛屑が進入することを防止できて詰まり等の発生を抑制することができる。
【００１４】
また、本体側流路部とヘッド側流路部の接続構造を、本体側流路部の接続側端部をヘッド側流路部の接続側端部の流路内に挿入した構造とすることも好ましく、このようにすることで、流路内に毛屑が進入することを更に確実に防止できて詰まり等の発生を抑制することができる。
【００１５】
また、処理剤を送り出す加圧手段として、圧電材料と弾性板とから成り該圧電材料により屈曲運動を行う圧電ダイアフラムポンプを備えることも好ましく、このようにすることで、加圧手段の構造を小型化することができる。
【００１６】
また、処理剤を送り出す加圧手段として処理剤供給用ポンプを備えるとともに、前記処理剤供給用ポンプの駆動周波数変更により処理剤の吐出量を調節する吐出量調節手段を備えることも好ましく、このようにすることで、好みの吐出量に微調整することが容易となる。
【００１７】
また、本体側流路部を、剤容器との接続端が外方に突出するように屈曲自在に設けることも好ましく、このようにすることで、剤容器の着脱が容易となる。
【００１８】
また、処理剤供給部に処理剤の流路を封止させる栓体を設け、処理剤供給部の肌への押し付けと連動した前記栓体の移動方向を流路の封止解除方向とすることも好ましく、このようにすることで、体毛処理ヘッドに肌が当たる時だけ流路の封止が解除されて処理剤が吐出され、それ以外の時は流路が封止されて処理剤が吐出されることがないので、処理剤の消費を最小限に抑えることができるとともに、処理剤供給部近傍のべたつきを防止することができる。
【００１９】
【発明の実施の形態】
以下、本発明を添付図面に示す実施の形態に基づいて説明する。図１〜図９には、本発明の実施の形態における一例の体毛処理装置を示している。この体毛処理装置は、体毛（髭）の切断を行う電気かみそりであって、体毛処理装置本体１と、該体毛処理装置本体１に着脱自在に装着されて体毛の切断処理を行う体毛処理ヘッド６と、該体毛処理装置本体１の外面に着脱自在若しくは開閉自在に配されるカバー２とで主体を構成している。
【００２０】
体毛処理装置本体１は、筒状のハウジング１０内に駆動用の体毛処理用モータ１１と、電源としての電池１２とを、シャーシ１８を介して収納したものであり、この体毛処理用モータ１１及び電池１２はそれぞれ体毛処理装置本体１の下部に内蔵した制御部１３の回路に接続させている。また、制御部１３の回路に接続されたメインスイッチ１９は体毛処理作業を操作する体毛処理用スイッチとして利用するものであるが、後述のポンプ用モータ９を操作する処理剤供給用スイッチとしても利用することができる。
【００２１】
体毛処理装置本体１に着脱自在に装着される体毛処理ヘッド６は、ネット状の外刃６３を二組備えるとともに、両外刃６３，６３で挟む位置に、スリット外刃６５とスリット内刃６６とから成るスリット刃６２を一組備えたものである。また、両外刃６３，６３のうちカバー２と逆側に位置する外刃６３ａとスリット刃６２との間には、後述の処理剤を肌や髭に吐出する為の処理剤供給部６１を取付けている。
【００２２】
体毛処理装置本体１の上端には、体毛処理用モータ１１の回転を往復動に変換する二組の駆動子１４，１４及びスリット用駆動子１５を設けており、この駆動子１４，１４に連結させた内刃６４，６４が体毛処理ヘッド６の外刃６３，６３に往復摺動し、スリット用駆動子１５に連結させたスリット内刃６６がスリット外刃６５に往復摺動するようになっている。そして、メインスイッチ１９をスライドさせて体毛処理作業をオンにすれば、体毛処理用モータ１１が駆動され、駆動子１４，１４とスリット用駆動子１５を介して、内刃６４とスリット内刃６６がそれぞれ上記の往復摺動を行うことで体毛の切断処理が行われる。ネット状の外刃６３とスリット刃６２と処理剤供給部６１はそれぞれ体毛処理ヘッド６の外殻を成すカセット５１に上下動自在に且つ上方にばね付勢して取付けており、肌への押付けにより沈み込んで、肌の曲面に良好に追従するようになっている。なお、ネット状の外刃６３が一組のものであってもよいし、スリット刃６２がないものであっても構わない。
【００２３】
体毛処理装置本体１の一側面には処理剤を充填させておく為の剤容器３を着脱自在に備えており、この剤容器３を覆うようにカバー２を体毛処理装置本体１に装着している。剤容器３の上端に設けた接続口部３０は第一チューブ４５の下端と接続させているので、剤容器３の交換は、まずカバー２を取外す若しくは開放し、古い剤容器３を取外した後に新しい剤容器３の接続口部３０を第一チューブ４５に接続させ、最後にカバー２を再度装着することで行う。
【００２４】
ここで、処理剤は低級アルコールと水とを主成分とするローション等であって、一例を挙げると、少なくともアルコールを約６０重量％、オイル成分を２．５重量％、香料を０．２重量％含み他を水分としたものである。また、アルコールの構成比率が１０〜６０重量％の処理剤であってもよいし、アルコールと水とで構成される処理剤であっても構わない。
【００２５】
処理剤を剤容器３内から処理剤供給部６１にまで送出する流路としては、体毛処理装置本体１に、その一端側を剤容器３に接続させた本体側流路部１１１を設けるとともに、体毛処理ヘッド６に、その一端側を処理剤供給部６１に接続したヘッド側流路部６１１を設け、本体側流路部１１１の剤容器３との接続側と逆側である他端側と、ヘッド側流路部６１１の処理剤供給部６１との接続側と逆側である他端側とを連結することで、供給流路部８を形成している。本体側流路部１１１は体毛処理装置本体１の上端に設けた取付板１１２に取付固定しており、本体側流路部１１１とヘッド側流路部６１１との接続箇所は、本体側流路部１１１の接続端近傍の外周に嵌め込んだＯリング６１２によって隙間を密閉させている。
【００２６】
本体側流路部１１１は、前述のように剤容器３に一端を接続させた第一チューブ４５と、該第一チューブ４５の他端を接続させたダイアフラムポンプ４と、該ダイアフラムポンプ４に一端を接続させた第二チューブ４６とで形成しており、第二チューブ４６の他端に形成した筒部１１３がヘッド側流路部６１１との接続箇所になっている。このように、本体側流路部１１１とヘッド側流路部６１１とを体毛処理ヘッド６の外部で接続させることで、流路内への毛屑等の進入が防止されて詰まり等が発生しにくくなっている。
【００２７】
また、本例においては、上記ダイアフラムポンプ４が、剤容器３から処理剤供給部６１にまで本体側流路部１１１とヘッド側流路部６１１から成る供給流路部８を介して処理剤３を送り出す加圧手段であって、ダイアフラムポンプ４に接続したポンプ用モータ９により駆動されるようになっている。ポンプ用モータ９はリード線９２を介して制御部１３に接続させている。そして、メインスイッチ１９をスライドさせて体毛処理作業をオンにすれば、リード線９２を介して電池１２から電力を供給されたポンプ用モータ９がダイアフラムポンプ４を駆動して剤容器３内の処理剤を処理剤供給部６１にまで送出し、使用者の肌に処理剤を吐出して体毛処理による肌荒れを防止して爽快な剃り心地を与えるものである。
【００２８】
図８にはダイアフラムポンプ４の構造を示している。ダイアフラムポンプ４の外殻を成すケース４０６内にはポンプ用モータ９の偏心軸９１を位置させており、この偏心軸９１をダイアフラム４０３に回転自在に接続させている。そして、ポンプ用モータ９の回転により偏心軸９１を介してダイアフラム４０３を往復運動させ、ダイアフラム４０３とケース４０６とで密閉されて成るポンプ室４０５において処理剤を吸入及び排出させることで、第一チューブ４５から吸入した処理剤を第二チューブ４６側に送出するようになっている。なお、図中４０１，４０２は処理剤の供給方向にのみ開口する逆止弁である。
【００２９】
図９等に示すように、処理剤供給部６１の塗布基台６００内には、ばね６０２により上方に付勢した支え板６０１を該支え板６０１の上端部に設けた突部６０４が塗布基台６００の上端部に設けた貫通孔６０５から突出するように上下動自在に設けている。また、支え板６０１の下端部から下方に突設した円柱状の軸部６０６を、塗布基台６００の内部と外部とを連通させるように底部から下方に延設した管状部６０７内にスライド自在に挿通させている。管状部６０７は上側の小径部６０８と下側の大径部６０９により形成しており、大径部６０９内にて軸部６０６の下端部外周に嵌着したＯリング６０３の外径を、小径部６０８の内径よりも大きく且つ大径部６０９の内径よりも小さくしている。したがって、肌に押し当てていない時は、ばね６０２により上方に付勢されたＯリング６０３が小径部６０８と大径部６０９との連結段部に当たり（図２参照）、軸部６０６と管状部６０７との隙間を塞いで処理剤の流路を封止させる。一方、肌に押し当てた時は、この押し付けと連動してＯリング６０３が下方に移動して軸部６０６と管状部６０７との間に隙間が生じて流路の封止が解除され（図３参照）、供給された処理剤が塗布基台６００と支え板６０１との隙間から肌に向けて吐出される。
【００３０】
このように、処理剤の流路を封止させる栓体としてＯリング６０３を備えて、肌への押し付けと連動した該栓体の移動方向を流路の封止解除方向とすることで、シェ−ビングのために体毛処理ヘッド６が肌に接触した時にのみ肌に処理剤が塗布され、それ以外の時は例えポンプ用モータ９を駆動していても処理剤は塗布されないこととなり、処理剤の浪費を低減することができる。
【００３１】
図４や図７には、本例の処理剤供給停止手段である逆止弁４７が、体毛処理ヘッド６の取外し状態において本体側流路部１１１内での処理剤の供給を停止させた状態を示している。前述のように、本体側流路部１１１を構成する第二チューブ４６の取付版１１２との接続箇所には小径の筒部１１３を形成しており、この筒部１１３の下端を第二チューブ４６の流路内にまで突出させている。そして、筒部１１３の下端にはゴム等の弾性体から成るキャップ状の逆止弁４７を被覆させて取付けており、逆止弁４７の底部に形成した盛上り部４７１が筒部１１３の下端開口に弾接してこれを塞ぎ、本体側流路部１１１の供給方向の流れを封止するようになっている。
【００３２】
これに対して、図１や図６に示すように体毛処理ヘッド６を取付けた状態においては、ヘッド側流路部６１１の接続側端部が本体側流路部１１１の接続側端部に形成される筒部１１３の流路内に挿入されて接続されるものであり、このとき、ヘッド側流路部６１１の先端が逆止弁４７の盛上り部４７１と当たってこれを供給方向と逆方向に押込むようになっている。この押込みによって盛上り部４７１の弾接による流路の封止が解除され、逆止弁４７の盛上り部４７１の周縁に貫設した供給孔４７２、及び、盛上り部４７１に貫設した供給路４７３を介して、本体側流路部１１１からヘッド側流路部６１１にまで処理剤が供給されるものである。
【００３３】
つまり、本例においては、逆止弁４７が体毛処理ヘッド６の取外しと連動して本体側流路部１１１内での処理剤の供給を停止させる流路部閉止機構となっていて、毛屑の掃除等の為に体毛処理ヘッド６を取外した際に不用意に処理剤が吐出されなことから処理剤の無駄な消費が抑制されるものである。
【００３４】
図１０〜図１２には、本発明の実施の形態における他例の体毛処理装置を示している。本例の基本的構成は一例の構成と同様であるが、本体側流路部１１１を、剤容器３との接続端が外方に突出するように屈曲自在に設けたことを特徴的な構成としている。具体的には、第一チューブ４５の下端に、ハウジング１０に設けた軸７３１を介して第三チューブ７３の一端を回動自在に接続させるとともに、第三チューブ７３の他端を剤容器３の接続口部３０と接続させており、本体側流路部１１１を、第一、第二、第三チューブ４５，４６，７３とダイアフラムポンプ４とで形成している。そして、ばね７１により第三チューブ７３をその自由端側が外側に位置するように付勢しており、剤容器３を取付けやすくしている。図１１に示すように、剤容器３を第三チューブ７３に取付けた後は、この剤容器３を第三チューブ７３と共にばね７１の付勢力に抗してハウジング１０と密着するように位置させ、カバー２００により保持する。ここにおいて、本例のカバー２００は剤容器３の取付部分のみを覆う程度に小型化できて、使い勝手が良いものである。
【００３５】
図１３、図１４には、本発明の実施の形態における更に他例の体毛処理装置を示している。本例の基本的構成は一例の構成と同様であるが、剤容器３から処理剤を送り出す加圧手段として、体毛処理装置本体１のハウジング１０と剤容器３との間に押し板８１を位置させるとともに、ハウジング１０と押し板８１との間にばね８０を介在させており、更に、剤容器３を柔軟な材料により形成していることを特徴的な構成としている。つまり、本例の体毛処理装置は、ばね８０の付勢力により押し板８１を介して剤容器３を加圧して処理剤を供給することができるので、構造を簡単で安価にできて小型化が可能なものである。なお、図１４に示すように体毛処理ヘッド６の取外し状態おいては一例と同様に逆止弁４７によって処理剤の供給は停止されるので、剤容器３が加圧状態にあっても処理剤が流出することはない。
【００３６】
図１５〜図１９には、本発明の実施の形態におけるまた更に他例の体毛処理装置を示している。本例の基本的構成は一例の構成と同様であるが、剤容器３から処理剤を送り出す加圧手段として、ポンプ用モータ９により駆動されるダイアフラムポンプ４の代りに、第一チューブ４５と第二チューブ４６の間に圧電ダイアフラムポンプ５００を設けていることを特徴的な構成としている。
【００３７】
図１７には圧電ダイアフラムポンプ５００の構造を示している。図示のように、Ｏリング５０９を介してベース５０３とダイアフラム５０２とで囲んでポンプ室５０８を形成しており、更にダイアフラム５０２に対してベース５０３と反対側からＯリング５０９を介してカバー５０１を被せており、ベース５０３とカバー５０１とでポンプ室５０８を密閉している。カバー５０１の底部に貫設した吸入穴５３１にはＯリング５２０及び弁体５０６を介して吸入接続部５０４を接続させており、同じくカバー５０１の底部に貫設した排出穴５３２にはＯリング５２０及び弁体５０７を介して排出接続部５０５を接続させている。弁体５０６及び弁体５０７はそれぞれ吸入方向と排出方向にのみ開く逆支弁であって、吸入接続部５０４を第一チューブ４５に接続させて排出接続部５０５を第二チューブ４６に接続させているので、ダイアフラム５０２の板厚方向の屈曲運動と連動してポンプ室５０８に処理剤の吸入及び排出が行われるようになっている。上記ダイアフラム５０２は真鍮やＳＵＳ等で薄板状に形成した弾性板をベースに圧電素子ピエゾ抵抗体を積層して一体化したものであって、リード線５１０を介して電圧を印加して板厚方向に屈曲運動を行わせるものである。印加電圧は電池電圧を昇圧して利用する。なお、上記のＯリング５０９，５２０の廃止、及び、ベース５０３や吸入接続部５０４や排出接続部５０５の形状変更又は一体化により、更に小型化して安価にすることもできる。
【００３８】
また、体毛処理装置本体１のハウジング１０の側面には、図１８や図１９に示すように、吐出量調節手段である流量調節ダイアル８００を設けている。この流量調節ダイアル８００により、処理剤供給用ポンプである圧電ダイアフラムポンプ５００の駆動周波数が変更自在となっており、例えば駆動周波数を小さくするとダイアフラム５０２の屈曲回数が少なくなって吐出量が減少し、駆動周波数を大きくするとダイアフラム５０２の屈曲回数が多くなって吐出量が増加するので、使用者の好みにより吐出量を容易に調節可能となっている。
【００３９】
図２０、図２１には、本発明の実施の形態における別例の体毛処理装置を示している。本例の基本的構成は一例や他例、及び、更に他例の構成と同様であるが、処理剤供給停止手段である流路部閉止機構として、体毛処理ヘッド６の取外しと連動して本体側流路部１１１を閉止するロックバルブ２０を設けたことを特徴的な構成としている。前記ロックバルブ２０は、筒部１１３の側壁部であって取付板１１２から体毛処理ヘッド６側に突出した部分に貫設した連通孔１１４に、取付板１１２と略平行に横片部２０１を挿通させ、この横片部２０１の本体側流路部１１１外部に位置する一端から体毛処理ヘッド６側に操作部２０２を延設し、横片部２０１の本体側流路部１１１内部に位置する一端から体毛処理装置本体１側に栓体２０３を延設して形成している。
【００４０】
本体側流路部１１１の外部において横片部２０１と取付板１１２との間にはばね１１５を介在させており、体毛処理ヘッド６の取外し状態においては、図２１に示すようにばね１１５の体毛処理ヘッド６側への付勢力によりロックバルブ２０全体が図中の反時計周りに回転付勢され、栓体２０３が本体側流路部１１１内にて体毛処理装置本体１側に押付けられて該本体側流路部１１１の小径部分を閉止する。これに対して体毛処理ヘッド６の取付け状態においては、図２０に示すように体毛処理ヘッド６から延設したリブ５２がばね１１５の付勢力に抗して操作部２０２を体毛処理装置本体１側へと押圧してロックバルブ２０全体を図中の時計回りに回転させ、栓体２０３を本体側流路部１１１内にて体毛処理ヘッド６側へと移動させるので、本体側流路部１１１の閉止は解除される。これにより、体毛処理ヘッド６の取外し状態においては処理剤の吐出が防止されて取付け状態においては処理剤が問題無く吐出されるものである。
【００４１】
また、ロックバルブ２０を、図２２、図２３に示すような構成としてもよい。具体的には、取付板１１２に貫設した連通孔１２０に取付板１１２と略垂直に挿通した縦片部２１０の体毛処理装置本体１外部に位置する一端から体毛処理ヘッド６側にクランク状の操作部２１１を延設し、縦片部２１０の体毛処理装置本体１内部に位置する一端から第二チューブ４６の外周を囲むように鉤状の締め部２１２を延設して、ロックバルブ２０を形成する。取付板１１２と操作部２１１との間にはばね１１６を介在させており、体毛処理ヘッド６の取外し状態においては図２３に示すようにばね１１６の体毛処理ヘッド６側への付勢力によりロックバルブ２０全体が図中の反時計周りに回転付勢されるととともに、連動して締め部２１２が第二チューブ４６を引掛けて締め付け、本体側流路部１１１を閉止する。これに対して体毛処理ヘッド６の取付け状態においては、図２２に示すように体毛処理ヘッド６から延設したリブ５２がばね６１５の付勢力に抗して操作部２１１を体毛処理装置本体１側へと押圧してロックバルブ２０全体を図中の時計回りに回動させ、締め部２１２を食い込み方向と逆方向へと移動させるので、本体側流路部１１１の閉止は解除される。これにより、体毛処理ヘッド６の取外し状態においては処理剤の吐出が防止されて取付け状態においては処理剤が問題無く吐出されるものである。
【００４２】
なお、図２２、図２３に示すものにおいては、ヘッド側流路部６１１と本体側流路部１１１の接続構造を、ヘッド側流路部６１１の接続側端部の内径を本体側流路部１１１の接続側端部の外径よりも大きく形成することで、本体側流路部１１１の接続側端部をヘッド側流路部６１１の接続側端部の流路内に挿入した構造としており、流路内に毛屑が侵入しに難くなっていて詰まり等の発生が防止されている。
【００４３】
図２４、図２５には、本発明の実施の形態における更に別例の体毛処理装置を示している。本例の基本的構成は一例の構成と同様であるが、処理剤供給停止手段として、処理剤供給用ポンプであるダイアフラムポンプ４の駆動を停止させる停止スイッチ７００を体毛処理装置本体１の取付板１１２に設けていることを特徴的な構成としている。この停止スイッチ１１２は体毛処理ヘッド６の取付け状態において該体毛処理ヘッド６の下端に押圧される位置にあり、この押圧によってオンとなってダイアフラムポンプ４を駆動可能にする（図２４参照）。一方、体毛処理ヘッド６の取外し状態においては該体毛処理ヘッド６による押圧が解除されてオフとなり（図２５参照）、このとき仮にメインスイッチ１９をオンにしてもダイアフラム４は駆動不能となっている。これにより、体毛処理ヘッド６の取外し状態においては処理剤の吐出が防止されて、取付け状態においては処理剤が問題無く吐出されるものである。なお、同様の構成を他例やまた更に他例の体毛処理装置に用いても構わない。
【００４４】
図２６、図２７には、本発明の実施の形態におけるまた更に別例の体毛処理装置を示している。本例の基本的構成は一例の構成と同様であるが、この体毛処理装置は一例のように電気かみそりでなく、脱毛器であることを特徴的な構成としている。つまり、本例の体毛処理装置本体１においては、体毛処理用モータ１１によって回転伝達プーリ９０２を介して回転駆動される脱毛ブロック９０１に爪９０３を複数設けており、この爪９０３により体毛を挟んで脱毛を行うようになっている。そして、脱毛ブロック９０１を囲むカバー部９００が本例における着脱自在の体毛処理ヘッド６となっていて、このカバー部９００にヘッド側流路部６１１及び処理剤供給部６１が一体に取付けられている。なお、体毛処理ヘッド６として脱毛ブロック９０１がカバー部９００と一体に着脱自在なものであっても構わない。
【００４５】
【発明の効果】
上記のように請求項１記載の発明にあっては、毛屑の掃除のため体毛処理装置本体から体毛処理ヘッドを取外した状態で不用意に加圧手段が作用しても処理剤が流出することが防止され、処理剤の無駄な消費を抑制することができるという効果がある。
【００４６】
また、請求項２記載の発明にあっては、請求項１記載の発明の効果に加えて、処理剤が揮発性の高いものや粘性の低いものであっても流路の閉止により確実に流出を防止することができるという効果がある。
【００４７】
また、請求項３記載の発明にあっては、請求項２記載の発明の効果に加えて、簡単な構造で安価に流路部閉止機構を形成することができるという効果がある。
【００４８】
また、請求項４記載の発明にあっては、請求項２記載の発明の効果に加えて、簡単な構造で安価に流路部閉止機構を形成することができるという効果がある。
【００４９】
また、請求項５記載の発明にあっては、請求項１記載の発明の効果に加えて、加圧手段そのものを停止させて処理剤の流出を確実に防止することができるという効果がある。
【００５０】
また、請求項６記載の発明にあっては、請求項１〜５のいずれか記載の発明の効果に加えて、電気シェーバにおいて簡単な構造で安価に処理剤供給停止手段を備えたものを提供することができるという効果がある。
【００５１】
また、請求項７記載の発明にあっては、請求項１〜６のいずれか記載の発明の効果に加えて、脱毛器において簡単な構造で安価に処理剤供給停止手段を備えたものを提供することができるという効果がある。
【００５２】
また、請求項８記載の発明にあっては、請求項１〜７のいずれか記載の発明の効果に加えて、流路内に毛屑が進入することを防止できて詰まり等の発生を抑制することができるという効果がある。
【００５３】
また、請求項９記載の発明にあっては、請求項１〜８のいずれか記載の発明の効果に加えて、流路内に毛屑が進入することを更に確実に防止できて詰まり等の発生を抑制することがでるという効果がある。
【００５４】
また、請求項１０記載の発明にあっては、請求項１〜９のいずれか記載の発明の効果に加えて、加圧手段の構造を小型化することができるという効果がある。
【００５５】
また、請求項１１記載の発明にあっては、請求項１〜１０のいずれか記載の発明の効果に加えて、好みの吐出量に微調整することが容易になるという効果がある。
【００５６】
また、請求項１２記載の発明にあっては、請求項１〜１１のいずれか記載の発明の効果に加えて、剤容器の着脱が容易になるという効果がある。
【００５７】
また、請求項１３記載の発明にあっては、請求項１〜１２のいずれか記載の発明の効果に加えて、体毛処理ヘッドに肌が当たる時だけ流路の封止が解除されて処理剤が吐出され、それ以外の時は流路が封止されて処理剤が吐出されることがないので、処理剤の消費を最小限に抑えることができるとともに、処理剤供給部近傍のべたつきを防止することができるという効果がある。
【図面の簡単な説明】
【図１】本発明の実施の形態における一例の体毛処理装置の体毛処理ヘッド取付け状態を示す縦断面図である。
【図２】同上の体毛処理装置の体毛処理ヘッド取付け状態を示す横断面図である。
【図３】同上の体毛処理装置の肌への押付け状態を示す横断面図である。
【図４】同上の体毛処理装置の体毛処理ヘッド取外し状態を示す縦断面図である。
【図５】同上の体毛処理装置の体毛処理ヘッド取外し状態を示す斜視図である。
【図６】図１の主要部拡大図である。
【図７】図４の主要部拡大図である。
【図８】同上のダイアフラムポンプの縦断面図であり、（ａ）は吸入状態、（ｂ）は排出状態を示している。
【図９】同上の処理剤供給部の分解斜視図である。
【図１０】本発明の実施の形態における他例の体毛処理装置の剤容器取外し状態を示す縦断面図である。
【図１１】同上の体毛処理装置の剤容器取付け状態を示す縦断面図である。
【図１２】同上の体毛処理装置の体毛処理ヘッド取外し状態を示す縦断面図である。
【図１３】本発明の実施の形態における更に他例の体毛処理装置の体毛処理ヘッド取付け状態を示す縦断面図である。
【図１４】同上の体毛処理装置の体毛処理ヘッド取外し状態を示す縦断面図である。
【図１５】本発明の実施の形態におけるまた更に他例の体毛処理装置の体毛処理ヘッド取付け状態を示す縦断面図である。
【図１６】同上の体毛処理装置の体毛処理ヘッド取外し状態を示す縦断面図である。
【図１７】同上の圧電ダイアフラムポンプの分解斜視図である。
【図１８】同上の体毛処理装置の側面図である
【図１９】同上の体毛処理装置の水平断面図である。
【図２０】本発明の実施の形態における別例の体毛処理装置のロックバルブによる封止解除状態を示す説明図である。
【図２１】同上の体毛処理装置のロックバルブによる封止状態を示す説明図である。
【図２２】同上の別形態のロックバルブによる封止解除状態を示す説明図である。
【図２３】同上の別形態のロックバルブによる封止状態を示す説明図である。
【図２４】本発明の実施の形態における更に別例の体毛処理装置の体毛処理ヘッド取付け状態を示す縦断面図である。
【図２５】同上の体毛処理装置の体毛処理ヘッド取外し状態を示す縦断面図である。
【図２６】本発明の実施の形態におけるまた更に別例の体毛処理装置の体毛処理ヘッド取付け状態を示す縦断面図である。
【図２７】同上の体毛処理装置の体毛処理ヘッド取外し状態を示す縦断面図である。
【符号の説明】
１　体毛処理装置本体
３　剤容器
６　体毛処理ヘッド
８　供給流路部
４７　逆止弁
６１　処理剤供給部
１１１　本体側流路部
５００　圧電ダイアフラムポンプ
６１１　ヘッド側流路部
７００　停止スイッチ
８００　流量調節ダイアル
９００　カバー部
９０１　脱毛ブロック
【図１】
2004113397.tif 000003
【図２】
2004113397.tif 000004
【図３】
2004113397.tif 000005
【図４】
2004113397.tif 000006
【図５】
2004113397.tif 000007
【図６】
2004113397.tif 000008
【図７】
2004113397.tif 000009
【図８】
2004113397.tif 000010
【図９】
2004113397.tif 000011
【図１０】
2004113397.tif 000012
【図１１】
2004113397.tif 000013
【図１２】
2004113397.tif 000014
【図１３】
2004113397.tif 000015
【図１４】
2004113397.tif 000016
【図１５】
2004113397.tif 000017
【図１６】
2004113397.tif 000018
【図１７】
2004113397.tif 000019
【図１８】
2004113397.tif 000020
【図１９】
2004113397.tif 000021
【図２０】
2004113397.tif 000022
【図２１】
2004113397.tif 000023
【図２２】
2004113397.tif 000024
【図２３】
2004113397.tif 000025
【図２４】
2004113397.tif 000026
【図２５】
2004113397.tif 000027
【図２６】
2004113397.tif 000028
【図２７】
2004113397.tif 000029